(57)【要約】【課題】電源投入後の、画面が非表示される事を解消した液晶表示装置を提供する。【解決手段】第１選択信号が入力される入力部３と、外部からの第１表示データが入力される切替部７と、第２表示データを生成し、切替部７に対し第２表示データを出力する発生部４と、液晶セル１２と、液晶セル１２を駆動する信号駆動部１０および走査駆動部１１と、各駆動部１０，１１に対し、各タイミング信号を出力するタイミング部９と、入力部３に接続され、外部からの第１同期信号の有無を監視する監視部６とを備え、監視部６は第１選択信号が第１状態に選択されたと判定し、第１同期信号が無いと判定した場合、切替部７は監視部６の指示により、タイミング部９に対し第２表示データを出力する。【選択図】図１
2007264572.tif 000002
【特許請求の範囲】
【請求項１】
第１選択信号が入力される入力部と、外部からの第１表示データが入力される切替部と、
第２表示データを生成し、前記切替部に対し前記第２表示データを出力する発生部と、液
晶セルと、前記液晶セルを駆動する信号駆動部および走査駆動部と、各駆動部に対し、各
タイミング信号を出力するタイミング部と、前記入力部に接続され、外部からの第１同期
信号の有無を監視する監視部とを備え、前記監視部は前記第１選択信号が第１状態に選択
されたと判定し、前記第１同期信号が無いと判定した場合、前記切替部は前記監視部の指
示により、前記タイミング部に対し、前記第２表示データを出力する事を特徴とする液晶
表示装置。
【請求項２】
前記監視部は前記第１同期信号が有ると判定した場合、前記切替部は前記タイミング部に
対し、前記第１同期信号および前記第１表示データを出力し、前記タイミング部に接続さ
れたレジスタは、前記第１同期信号の異常状態を所定時間、記憶し、その後、前記入力部
を介して通信バスに対し、前記異常状態を知らせる事を特徴とする請求項１の液晶表示装
置。
【請求項３】
第１選択信号および第２選択信号が入力される入力部と、外部からの第１表示データが入
力される切替部と、第２表示データを生成し、前記切替部に対し前記第２表示データを出
力する発生部と、液晶セルと、前記液晶セルを駆動する信号駆動部および走査駆動部と、
各駆動部に対し、各タイミング信号を出力するタイミング部と、前記入力部に接続され、
外部からの第１同期信号の有無を監視する監視部とを備え、前記監視部は、前記第１選択
信号が第２状態に選択されたと判定した場合、前記第１同期信号の有無に係わらず、前記
切替部は前記タイミング部に対し、前記第２選択信号が選択された各状態に従う、前記第
２表示データを出力する事を特徴とする液晶表示装置。
【請求項４】
前記第２選択信号は、少なくとも、Ｒ，Ｇ，Ｂの各データと、パターンデータとからなる
４ビットデータであり、前記入力部に接続された前記発生部は、前記４ビットデータから
なる前記第２表示データを出力する事を特徴とする請求項３の液晶表示装置。
【請求項５】
少なくとも、前記入力部と、前記切替部と、前記発生部と、前記監視部と、前記タイミン
グ部は、１つの集積回路素子にて構成された事を特徴とする請求項３の液晶表示装置。
【発明の詳細な説明】
【技術分野】
【０００１】
本発明は、液晶表示装置に関する。
【背景技術】
【０００２】
従来、この種の液晶表示装置は例えば、特許文献１の図１に示されている。この図１に
よると、入力手段３は外部機器に接続され、外部同期信号ＨＤ，ＶＤと、外部画像データ
Ｒ，Ｇ，Ｂが入力される。外部画像データＲ，Ｇ，Ｂは、スケーラ１１および伝送器１６
を介して、液晶パネル１７に入力される。
【特許文献１】特開２００４−２５２２３４号公報
【発明の開示】
【発明が解決しようとする課題】
【０００３】
上記外部機器が例えば、車載用ナビゲーション本体の場合、電源投入（例えば、車のキ
ーを回す、または、ユーザが上記本体の電源スイッチを押す等）した後に、液晶表示装置
が画面表示するのに、数秒を要する、欠点がある。これは、本体が各種データ（例えば、
気温、油量、自己診断など）を揃えた後に、外部画像データを出力するからである。
【０００４】
そのため、ユーザは電源投入したのに、画面表示しないので、故障していると、間違う
ことがある。そこで、本発明は、この様な従来の欠点を考慮し、電源投入後の、画面が非
表示される事を解消した液晶表示装置を提供する。
【課題を解決するための手段】
【０００５】
上記課題を解決するために、請求項１の本発明では、第１選択信号が入力される入力部
と、外部からの第１表示データが入力される切替部と、第２表示データを生成し、前記切
替部に対し前記第２表示データを出力する発生部と、液晶セルと、前記液晶セルを駆動す
る信号駆動部および走査駆動部と、各駆動部に対し、各タイミング信号を出力するタイミ
ング部と、前記入力部に接続され、外部からの第１同期信号の有無を監視する監視部とを
備え、前記監視部は前記第１選択信号が第１状態に選択されたと判定し、前記第１同期信
号が無いと判定した場合、前記切替部は前記監視部の指示により、前記タイミング部に対
し、前記第２表示データを出力する。
【０００６】
請求項２の本発明では、前記監視部は前記第１同期信号の異常状態を所定時間、記憶し
、その後、前記入力部を介して通信バスに対し、前記異常状態を知らせる。
【０００７】
請求項３の本発明では、第１選択信号および第２選択信号が入力される入力部と、外部
からの第１表示データが入力される切替部と、第２表示データを生成し、前記切替部に対
し前記第２表示データを出力する発生部と、液晶セルと、前記液晶セルを駆動する信号駆
動部および走査駆動部と、各駆動部に対し、各タイミング信号を出力するタイミング部と
、前記入力部に接続され、外部からの第１同期信号の有無を監視する監視部とを備え、前
記監視部は、前記第１選択信号が第２状態に選択されたと判定した場合、前記第１同期信
号の有無に係わらず、前記切替部は前記タイミング部に対し、前記第２選択信号が選択さ
れた各状態に従う、前記第２表示データを出力する。
【０００８】
請求項４の本発明では、前記第２選択信号は、少なくとも、Ｒ，Ｇ，Ｂの各データと、
パターンデータとからなる４ビットデータであり、前記入力部に接続された前記発生部は
前記４ビットデータからなる前記第２表示データを出力する。
【０００９】
請求項５の本発明では、少なくとも、前記入力部と、前記切替部と、前記発生部と、前
記監視部と、前記タイミング部は、１つの集積回路素子にて構成された。
【発明の効果】
【００１０】
請求項１の様に、監視部が外部からの第１同期信号が無いと判定した場合、タイミング
部に対し、第２表示データを出力する。その結果、電源投入後の、画面が非表示される事
を防止できる。また、第１選択信号が第１状態に選択された時、例えば、第１状態を接地
電圧に設定する事により、装置の出荷前に、強制的に、第１状態に設定できる。そのため
その後に、信号源に接続する必要がない。
【００１１】
請求項２の様に、レジスタは、第１同期信号の異常状態を通信バスに対し、知らせる。
その結果、製造者は、第１同期信号の異常に対する対策を打つことができる。
【００１２】
請求項３の様に、第１選択信号が第２状態に選択された場合、第２選択信号が選択され
た各状態に従う、各第２表示データを出力する。その結果、製造者は、表示色のバラツキ
の測定や調整を容易に行うことができる。
【００１３】
請求項４の様に、第２選択信号は、少なくとも、Ｒ，Ｇ，Ｂの各データと、パターンデ
ータとからなる４ビットデータである。その結果、最大で１６通りの表示パターンが得ら
れる。故に、製造者は、表示色のバラツキの測定や調整に、最も適した表示パターンを選
択する事ができる。
【００１４】
請求項５の様に、１つの集積回路素子にて構成するので、発生部の代わりに、外付けの
ＲＯＭを用いる必要がない。その結果、これらの部品に占めるスペースが小さくなり、か
つ、コストが安くなる。
【発明を実施するための最良の形態】
【００１５】
以下、本発明の具体例を実施例及び図面を用いて詳細に説明する。
【実施例】
【００１６】
以下に、図１に従い、本発明の実施例に係る液晶表示装置１を説明する。図１は液晶表
示装置１のブロック図である。
【００１７】
図１において、液晶表示装置１は例えば、通信バス２と、入力部３と、発生部４と、発
振器５と、監視部６と、切替部７と、レジスタ８と、タイミング部９と、信号駆動部１０
と、走査駆動部１１と、液晶セル１２等からなる。
【００１８】
なお、少なくとも、入力部３と、発生部４と、監視部６と、切替部７と、タイミング部
９は、１つの集積回路素子（即ち、制御手段）１３にて構成されている。
【００１９】
集積回路素子１３として、通信バス２と、発振器５と、レジスタ８等も含めても良い。
【００２０】
車載用ナビゲーション本体は、外部電源部と、データ源と、同期信号源（共に、図示せ
ず）等を有している。
【００２１】
外部電源部は、液晶表示装置１が有するコネクタ（図示せず）に対し、第１表示データ
を出力する。同期信号源はコネクタに対し、第１同期信号を出力する。
【００２２】
信号源は例えば、マイコンと、入力手段と、出力部（共に、図示せず）等からなる。入
力手段と出力部は共に、マイコンに接続されている。
【００２３】
入力手段は例えば、キーボードや、キースイッチ等でも良い。出力部は、コネクタ付き
のリード線からなる。リード線は３本からなり、１本は、接地電圧用で、１本はクロック
信号用で、１本はシリアルデータ用である。
【００２４】
このコネクタは、通信バス２に接続されている。このシリアルデータは、１ビットの第
１選択信号と、４ビットの第２選択信号とからなる。
【００２５】
入力部３は、インターフェース回路であり、通信バス２に接続されている。この様に、
入力部３には、第１選択信号および第２選択信号が入力される。
【００２６】
入力部３は、発生部４に対し、第１選択信号および第２選択信号を出力する。発振器５
は発生部４に対し、クロック信号を出力する。
【００２７】
発生部４は例えば、カウンタと、セレクタと、レジスタ等からなる。発生部４は、第１
選択信号および第２選択信号（合計、５ビットのデータ）が入力されると、各データに従
う、各第２表示データを、切替部７に出力する。
【００２８】
発生部４は切替部７に対し、第２同期信号を出力する。
【００２９】
監視部６は、第１同期信号の線に接続され、かつ、入力部３に接続されている。この様
にして、監視部６は、第１同期信号の有無を判定し、かつ、第１選択信号および第２選択
信号の各状態を判定する。
【００３０】
監視部６は上記判定の結果に基づき、切替部７に対し、切替信号を出力したり、停止す
る。
【００３１】
切替部７は例えばセレクタからなり、第１同期信号および第２同期信号が入力される。
切替信号の有無により、切替部７はタイミング部９に対し、第１同期信号または第２同期
信号を出力する。
【００３２】
切替部７は、第１表示データおよび第２表示データが入力される。切替信号の有無によ
り、切替部７はタイミング部９に対して、第１表示データまたは第２表示データを出力す
る。
【００３３】
レジスタ８の入力側は、タイミング部９に接続され、出力側は入力部３を介して、通信
バス２に接続されている。
【００３４】
この様にして、監視部６は第１同期信号が有ると判定した場合、切替部７はタイミング
部９に対し、第１同期信号および第１表示データを出力する。
【００３５】
タイミング部９に接続されたレジスタ８は、第１同期信号の異常状態（例えば、周波数
が所定値よりも低いとか）を所定時間、記憶する。
【００３６】
その後、レジスタ８は、入力部３を介して、通信バス２に対し、上記異常状態を知らせ
る。
【００３７】
タイミング部９は、信号駆動部１０および走査駆動部１１に対し、各タイミング信号を
出力する。タイミング部９は信号駆動部１０に対し、第１表示データまたは第２表示デー
タを出力する。
【００３８】
液晶セル１２は例えば、下ガラス基板上に複数個が形成された信号線と、複数個が形成
された走査線と、それらの交点近傍に形成されたＴＦＴと、ＴＦＴに接続された画素電極
（共に、図示せず）を有する。
【００３９】
更に、液晶セル１２は、上ガラス基板に設けられた共通電極と、カラーフィルタと、下
ガラス基板と、上ガラス基板との間に設けられた液晶（共に図示せず）等を有する。
【００４０】
信号駆動部１０は、液晶セル１２に設けられた各信号線に対し、各諧調電圧を出力し、
液晶セル１２を駆動するものである。
【００４１】
走査駆動部１１は、液晶セル１２に設けられた各走査線に対し、走査電圧を出力し、液
晶セル１２を駆動するものである。以上の部品により、この液晶表示装置１は構成されて
いる。
【００４２】
次に、図１ないし図４に従い、液晶表示装置１の動作を説明する。図２は、第１選択信
号および第２選択信号と、表示状態の関係を示す表である。図３は、表示状態の１例を示
す図面である。図４は、表示状態の他の例を示す図面である。
【００４３】
最初に、第１選択信号が第１状態（例えば、ロウレベル）に選択されたとする。この場
合が、図２の1)の状態である。
【００４４】
この時、監視部６は第１選択信号が第１状態に選択されたと判定し、かつ、第１同期信
号が無いと、判定したとする。
【００４５】
この時、監視部６の指示に従い（即ち、切替信号により）、切替部７はタイミング部９
に対し、第２表示データを出力する。
【００４６】
その結果、タイミング部９は信号駆動部１０に対し、第２表示データを出力する。その
結果、液晶セル１２は例えば、全面黒表示が行われる。
【００４７】
また、その後、監視部６が第１同期信号が有ると判定した場合は、切替部７はタイミン
グ部９に対し、第１表示データを出力する。
【００４８】
その結果、液晶セル１２において、第１表示データに基づく通常の表示が行われる。
【００４９】
次に、第１選択信号が第２状態（例えば、ハイレベル）に選択されたとする。この場合
は、図２の２）〜（１７）の状態である。この時、監視部６は、第１選択信号が第２状態
に選択されたと、判定する。
【００５０】
図２に示す様に、第２選択信号は、少なくとも、Ｒ，Ｇ，Ｂの各データと、パターンデ
ータとからなる、４ビットデータである。
【００５１】
上記Ｒのデータは第２表示Ｒであり、以下にＲと呼ぶ。上記Ｇのデータは第２表示Ｇで
あり、以下にＧと呼ぶ。上記Ｂのデータは第２表示Ｂであり、以下にＢと呼ぶ。上記パタ
ーンデータは第２表示ＢＡであり、以下にＢＡと呼ぶ。
【００５２】
例えば、図２の2)において、ＢとＲとＧとＢＡは全て、ロウレベルであり、液晶セル１
２は、全面黒色表示（図３（ａ）参照）となる。これは、発生部４において、第１選択信
号がハイレベルであり、Ｂ＝Ｒ＝Ｇ＝ＢＡ＝ロウレベルが入力される。
【００５３】
発生部４の構成により、この時、発生部４は、全黒の第２表示データを出力し、このデ
ータは信号駆動部１０に入力される。その結果、液晶セル１２は全黒を表示する。
【００５４】
次に、第２選択信号は、3)の状態に選択されたとする。即ち、Ｂ＝ハイレベル、Ｒ＝Ｇ
＝ＢＡ＝ロウレベルである。この時、液晶セル１２は、青色表示する。青色の諧調電圧が
最大の時に、輝度が１００％とする。3)の状態では、青色の輝度が７５％になる様に、青
色の諧調電圧が選択されている。
【００５５】
同様に、4)〜9)の状態では、各々、Ｂ，Ｒ，Ｇ，ＢＡの状態が選択され、各々、図３に
示した（ｃ）〜（ｈ）の表示を行う。
【００５６】
次に、第２選択信号は（１０）の状態に選択されてとする。即ち、Ｂ＝Ｒ＝Ｇ＝ロウレ
ベルでＢＡ＝ハイレベルである。この時、液晶セル１２は、カラーバー（縦方向に、全白
から全黒に、縞模様に変化する）を表示する（図４（ａ）参照）。
【００５７】
なお、図４（ｃ）において、０，３，７，・・・，６３は、灰色における各諧調度を示
す（６３が最大の諧調度）。
【００５８】
図４（ｄ）において、２１と４２は、灰色における各諧調度を示す。
【００５９】
この様に、入力部３に接続された発生部４は、４ビットデータからなる第２表示データ
を出力する。
【００６０】
即ち、この時（図２の２）〜（１７）の状態）、切替部７はタイミング部９に対し、第
２選択信号（Ｂ，Ｒ，Ｇ，ＢＡ）が選択された各状態に従う、各第２表示データ（２）〜
（１７）のこと）を出力する。
【図面の簡単な説明】
【００６１】
【図１】本発明の実施例に係る液晶表示装置１のブロック図である。
【図２】上記装置１において、第１選択信号および第２選択信号と、表示状態の関係を示す表である。
【図３】上記装置１において、表示状態の１例を示す図面である。
【図４】上記装置１において、表示状態の他の例を示す図面である。
【符号の説明】
【００６２】
３  入力部
４  発生部
６  監視部
７  切替部
９  タイミング部
１０  信号駆動部
１１  走査駆動部
１２  液晶セル
【図１】
2007264572.tif 000003
【図２】
2007264572.tif 000004
【図３】
2007264572.tif 000005
【図４】
2007264572.tif 000006